Podtech/llm-jp-corpus-v4-ja_patent huggingface dataset:
【手続補正書】
【提出日】平成30年10月5日(2018.10.5)
【手続補正１】
【補正対象書類名】明細書
【補正対象項目名】００３９
【補正方法】変更
【補正の内容】
【００３９】
扉９の左側端部の内面には扉９の開閉ボタンを有し、扉駆動ユニット６３と電気的に接続された操作パネル６１が設置されている。ユーザの操作によって、操作パネル６１の閉ボタンが押されると、扉駆動ユニット６３が扉９を閉じるように駆動し、扉９の左端が左側壁１４Ｌに当接した状態で、錠９１を扉９と係合させることで施錠し、開扉を抑止する。そして、操作パネル６１の開ボタンが押されると、扉駆動ユニット６３は、錠９１を駆動して扉９との係合を解除することにより開錠し、扉９を開く方向へ駆動する。錠９１は、ガイドレール８に設けられて扉９と係合する構成に限らず、この左側壁１４Ｌや右側壁１４Ｒ、床１４Ｆ等に設けられ、扉９と係合することで開扉を抑止する構成であっても良い。また、反対に、扉９に設けられ、ガイドレール８や、左側壁１４Ｌ、右側壁１４Ｒ、床１４Ｆと係合することで、開扉を抑止する構成であっても良い。なお、本例では、扉９を閉じた際、錠９１を施錠して扉９が開かないようにしたが、閉じた扉９が外側から容易に開けられない構成、例えば、他者が手動で扉９を開けるように力をかけても扉駆動ユニット６３のギヤが回転せず、扉９が移動しない構成であれば錠９１を省略しても良い。
【手続補正２】
【補正対象書類名】明細書
【補正対象項目名】００４３
【補正方法】変更
【補正の内容】
【００４３】
また、左前壁１４１Ｌと右前壁１４１Ｒの上端には、上枠１４２が架けわたされ、この上枠１４２に錠９１が設けられている。錠９１は、扉駆動ユニット６３により、扉９の開閉に伴って駆動され、扉９が閉じられた際に、扉９と係合することによって施錠され、開扉を抑止する。
【手続補正３】
【補正対象書類名】明細書
【補正対象項目名】００９４
【補正方法】変更
【補正の内容】
【００９４】
そして、管理サーバ２は、制御装置４４へ、扉９を閉じた状態に維持する制御信号を送
信し、扉駆動ユニット６３により扉９及び錠９１を制御させる（ステップＳ１３０）。扉９を閉じた状態に維持する制御は、扉９が開いている状態であれば扉９を閉じて施錠し、この施錠した状態で、操作パネル６１による開く操作が行われても、この開く操作を受け付けずに扉９を閉じた状態を維持する。
【手続補正４】
【補正対象書類名】明細書
【補正対象項目名】００９７
【補正方法】変更
【補正の内容】
【００９７】
管理サーバ２は、管理者端末３から取り消しが要求されていない場合には（ステップＳ１７０，Ｎｏ）、図１２のステップＳ２１０へ移行し、取り消しが要求されている場合（ステップＳ１７０，Ｙｅｓ）、ステップＳ１３０で行った扉９を閉じた状態に維持する制御を止めるように制御信号を制御装置４４へ送信する（ステップＳ１８０）。これにより制御装置４４は、操作パネル６１で開く操作が行われた場合、通常通り、扉９を開く動作を行うように制御する。なお、ステップＳ１３０を実行した際に、開いていた扉９を閉じた場合には、扉９を開く方向へ移動させてステップＳ１３０を実行する前の状態に戻す制御を行ってもよい。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
ユーザ操作に応じてコンテンツを処理しその画像を表示装置に表示させる情報処理装置であって、
第１の輝度空間で表された画像の信号を取得する画像データ取得部と、
前記画像の信号を第２の輝度空間で表した信号に変換する輝度空間変換部と、
いずれかの輝度空間で表された画像の信号を前記表示装置に出力する画像出力部と、
を備え、
前記輝度空間変換部は、前記表示装置に所定の画像を表示させたうえ、その表示の状態に応じた所定の情報に基づき、信号の変換に用いるパラメータを調整するパラメータ調整部を備え、調整後のパラメータを用いて信号を変換することを特徴とする情報処理装置。
【請求項２】
前記パラメータ調整部は、調整用の画像を前記第１の輝度空間で表した信号と、当該画像を前記第２の輝度空間で表した信号を、ユーザの切り替え操作に応じて切り替えて出力することにより、前記表示装置において比較可能に表示させたうえで、調整に係る操作をユーザから受け付けることにより前記パラメータを調整することを特徴とする請求項１に記載の情報処理装置。
【請求項３】
前記パラメータ調整部は、調整用の画像を前記第１の輝度空間で表した信号と、当該画像を前記第２の輝度空間で表した信号を出力することによりそれぞれ前記表示装置に表示させ、表示時の輝度の値を取得して比較した結果に基づき前記パラメータを調整することを特徴とする請求項１に記載の情報処理装置。
【請求項４】
前記第１の輝度空間が表す輝度レンジは前記第２の輝度空間が表す輝度レンジより小さく、
前記パラメータ調整部は、前記第１の輝度空間の上限を対応づける、前記第２の輝度空間における割合を前記パラメータとして、調整操作を受け付けることを特徴とする請求項１から３のいずれかに記載の情報処理装置。
【請求項５】
前記画像データ取得部は、前記第１の輝度空間で表された画像をアルファブレンド処理により重畳表示させる別の画像の信号をさらに取得し、
前記輝度空間変換部は、前記別の画像の信号が前記第２の輝度空間で表されているとき、前記第１の輝度空間で表された画像の信号を変換することを特徴とする請求項１から４のいずれかに記載の情報処理装置。
【請求項６】
前記パラメータ調整部は、前記情報処理装置に表示装置が新たに接続されたとき、前記パラメータの調整操作の必要をユーザに通知することを特徴とする請求項１から５のいずれかに記載の情報処理装置。
【請求項７】
ユーザ操作に応じてコンテンツを処理しその画像を表示装置に表示させる情報処理装置が、
第１の輝度空間で表された画像の信号を第２の輝度空間で表した信号に変換するのに用いるパラメータを、前記表示装置に所定の画像を表示させたうえ、その表示の状態に応じた所定の情報に基づき調整するステップと、
前記第１の輝度空間で表された表示対象の画像の信号を取得するステップと、
取得した表示対象の画像の信号を、調整後のパラメータを用いて前記第２の輝度空間で表した信号に変換するステップと、
変換された表示対象の画像の信号を前記表示装置に出力するステップと、
を含むことを特徴とする画像処理方法。
【請求項８】
ユーザ操作に応じてコンテンツを処理しその画像を表示装置に表示させるコンピュータに、
第１の輝度空間で表された画像の信号を第２の輝度空間で表した信号に変換するのに用いるパラメータを、前記表示装置に所定の画像を表示させたうえ、その表示の状態に応じた所定の情報に基づき調整する機能と、
前記第１の輝度空間で表された表示対象の画像の信号を取得する機能と、
取得した表示対象の画像の信号を、調整後のパラメータを用いて前記第２の輝度空間で表した信号に変換する機能と、
変換された表示対象の画像の信号を前記表示装置に出力する機能と、
を実現させることを特徴とするコンピュータプログラム。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
ユーザにより描画されたぬり絵を含む媒体の画像データを取得する画像データ取得手段と、
ユーザにより描画されたぬり絵のキャラクターに係る展開図であって、紙を折る作業を含む工作作業をユーザに行わせることで当該キャラクターの工作物を作成することができる前記展開図に対し、ユーザがぬり絵で塗った色を当該キャラクターの位置に合わせて反映する反映手段と、
前記反映手段によりユーザがぬり絵で塗った色が反映された前記展開図を印刷装置に印刷させる印刷手段と、
を有する情報処理装置。
【請求項２】
前記画像データ取得手段は、ユーザにより描画されたぬり絵を含む前記媒体であって、ぬり絵のオブジェクトに関する情報が付された前記媒体の画像データを取得し、
前記反映手段は、前記媒体に付された前記オブジェクトに関する情報に応じた前記キャラクターに係る前記展開図に対し、ユーザがぬり絵で塗った色を当該キャラクターの位置に合わせて反映する、
請求項１に記載の情報処理装置。
【請求項３】
コンピュータが、
ユーザにより描画されたぬり絵を含む媒体の画像データを取得する処理と、
ユーザにより描画されたぬり絵のキャラクターに係る展開図であって、紙を折る作業を含む工作作業をユーザに行わせることで当該キャラクターの工作物を作成することができる前記展開図に対し、ユーザがぬり絵で塗った色を当該キャラクターの位置に合わせて反映する処理と、
前記ユーザがぬり絵で塗った色が反映された前記展開図を印刷装置に印刷させる処理と、
を実行する方法。
【請求項４】
前記画像データを取得する処理は、ユーザにより描画されたぬり絵を含む前記媒体であって、ぬり絵のオブジェクトに関する情報が付された前記媒体の画像データを取得する処理であり、
前記反映する処理は、前記媒体に付された前記オブジェクトに関する情報に応じた前記キャラクターに係る前記展開図に対し、ユーザがぬり絵で塗った色を当該キャラクターの位置に合わせて反映する処理である、
請求項３に記載の方法。
【請求項５】
コンピュータに、
ユーザにより描画されたぬり絵を含む媒体の画像データを取得する処理と、
ユーザにより描画されたぬり絵のキャラクターに係る展開図であって、紙を折る作業を含む工作作業をユーザに行わせることで当該キャラクターの工作物を作成することができる前記展開図に対し、ユーザがぬり絵で塗った色を当該キャラクターの位置に合わせて反映する処理と、
前記ユーザがぬり絵で塗った色が反映された前記展開図を印刷装置に印刷させるための処理と、
を実行させるプログラム。
【請求項６】
コンピュータに、
ユーザにより描画されたぬり絵を含む媒体の画像データを取得する処理と、
ユーザにより描画されたぬり絵のキャラクターに係る展開図であって、紙を折る作業を含む工作作業をユーザに行わせることで当該キャラクターの工作物を作成することができる前記展開図に対し、ユーザがぬり絵で塗った色を当該キャラクターの位置に合わせて反映する処理と、
前記ユーザがぬり絵で塗った色が反映された前記展開図を印刷装置に印刷させるための処理と、
を実行させるプログラムを記録した記録媒体。
【請求項７】
ユーザにより描画されたぬり絵を含む媒体の画像データを取得する画像データ取得手段と、
ユーザにより描画されたぬり絵のキャラクターに係る展開図であって、紙を折る作業を含む工作作業をユーザに行わせることで当該キャラクターの工作物を作成することができる前記展開図に対し、ユーザがぬり絵で塗った色を当該キャラクターの位置に合わせて反映する反映手段と、
を備える情報処理装置と、
前記反映手段によりユーザがぬり絵で塗った色が反映された前記展開図を印刷する印刷装置と、
を有する情報処理システム。
【手続補正２】
【補正対象書類名】明細書
【補正対象項目名】発明の名称
【補正方法】変更
【補正の内容】
【発明の名称】情報処理装置、方法、プログラム、記録媒体及び情報処理システム
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
走行車線を走行する車両に対して通行の可否を報知するために設置されている第１の信号機の存在位置情報が含まれる第１の信号機情報、前記走行車線を走行する車両に対して通行の可否を報知するために設置されている第２の信号機の存在位置情報が含まれる第２の信号機情報、及び停止線の位置を示す停止線情報を有し、該停止線情報が前記第１の信号機情報及び前記第２の信号機情報に対応付けられた状態で記憶されている記憶部と、
前記第１の信号機及び前記第２の信号機は、前記車両に対して同じ報知内容を示すものであり、
前記第１の信号機情報及び前記第２の信号機情報に対応付けられた前記停止線情報に基づいて前記停止線の位置において前記車両が停止可能なように運転を支援する制御部とを備える運転支援システム。
【請求項２】
請求項１に記載の運転支援システムであって、
前記第１の信号機及び第２の信号機は、同一の進行方向に対して前後に設置されている運転支援システム。
【請求項３】
信号機の表示内容を認識し、該認識結果に応じた車両の運転を支援する運転支援システムであって、
前記車両が停止するべき位置を示す地点に関する地点情報を有する記憶部と、
前記地点情報の示す位置において前記車両が停止可能なように運転を支援する制御部とを有する運転支援システム。
【請求項４】
請求項３に記載の運転支援システムであって、
前記記憶部は、前記信号機の存在位置を表した存在位置情報を有し、
前記存在位置情報と前記地点情報とが対応付けられている運転支援システム。
【請求項５】
地物の表示内容を認識し、該認識結果に応じた車両の運転を支援する運転支援システムであって、
前記車両が停止するべき位置を示す地点に関する地点情報及び地物に関する地物情報を有する記憶部と、
前記地物情報に応じて前記地点情報の示す位置において前記車両が停止可能なように運転を支援する制御部とを有する運転支援システム。
【請求項６】
信号機の表示内容を認識し、該認識結果に応じた車両の運転を支援する機能をコンピュータに実現させる運転支援プログラムであって、
前記車両が停止するべき位置を示す地点に関する地点情報の示す位置において前記車両が停止可能なように運転を支援する機能を含む運転支援プログラム。
【請求項７】
記憶部に記憶された地図データを、車両の運転を支援する運転支援機能を有するコンピュータに参照させる参照機能を実現させる運転支援プログラムであって、
前記地図データは、前記車両が停止するべき位置を示す地点に関する地点情報を有し、
前記運転支援機能は、前記地点情報の示す位置において前記車両が停止可能なように運転を支援し、
前記参照機能は、前記コンピュータの前記運転支援機能に前記地点情報を参照させる機能を含み、
前記コンピュータは、信号機の表示内容を認識する認識機能を有する運転支援プログラム。
【手続補正２】
【補正対象書類名】明細書
【補正対象項目名】０００６
【補正方法】変更
【補正の内容】
【０００６】
（１）本発明の一形態によれば、車両の運転を支援する運転支援システムが提供される。この運転支援システムは、走行車線を走行する車両に対して通行の可否を報知するために設置されている第１の信号機の存在位置情報が含まれる第１の信号機情報、走行車線を走行する車両に対して通行の可否を報知するために設置されている第２の信号機の存在位置情報が含まれる第２の信号機情報、及び停止線の位置を示す停止線情報を有し、該停止線情報が第１の信号機情報及び第２の信号機情報に対応付けられた状態で記憶されている記憶部と、第１の信号機及び第２の信号機は、車両に対して同じ報知内容を示すものであり、第１の信号機情報及び第２の信号機情報に対応付けられた停止線情報に基づいて停止線の位置において車両が停止可能なように運転を支援する制御部とを備える。また、上記の運転支援システムにおいて、第１の信号機及び第２の信号機は、同一の進行方向に対して前後に設置されている。
【手続補正３】
【補正対象書類名】明細書
【補正対象項目名】０００７
【補正方法】変更
【補正の内容】
【０００７】
（２）本発明の他の形態によれば、信号機の表示内容を認識し、該認識結果に応じた車両の運転を支援する運転支援システムであって、車両が停止するべき位置を示す地点に関する地点情報を有する記憶部と、地点情報の示す位置において車両が停止可能なように運転を支援する制御部とを有する。
【手続補正４】
【補正対象書類名】明細書
【補正対象項目名】０００８
【補正方法】変更
【補正の内容】
【０００８】
（３）また、上記形態の運転支援システムにおいて、記憶部は、信号機の存在位置を表した存在位置情報を有し、存在位置情報と地点情報とが対応付けられている。
【手続補正５】
【補正対象書類名】明細書
【補正対象項目名】０００９
【補正方法】変更
【補正の内容】
【０００９】
（４）本発明の他の形態によれば、地物の表示内容を認識し、該認識結果に応じた車両の運転を支援する運転支援システムであって、車両が停止するべき位置を示す地点に関する地点情報及び地物に関する地物情報を有する記憶部と、地物情報に応じて地点情報の示す位置において車両が停止可能なように運転を支援する制御部とを有する。
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
車両の運転を支援する運転支援システムであって、
前記車両の周囲に存在する地物を認識する認識部と、
信号機の設置されている位置を表す存在位置情報及び車線の特定の地点を表す車線位置情報を有する記憶部とを有し、
前記信号機は、灯色を変更することによって道路を走行する車両に対して通行の可否を報知するものであり、
前記存在位置情報と前記車線位置情報とが対応付けられており、
前記認識部は、前記車両の現在位置に対応する前記車線位置情報に対応付けられた前記存在位置情報を参照することにより、前記認識された結果から前記車両の通行を規制する信号機を認識する運転支援システム。
【請求項２】
請求項１に記載の運転支援システムであって、
前記存在位置情報は複数の信号機の各々を表すものであり、
前記存在位置情報の各々と前記車線位置情報とが対応付けられており、
前記複数の信号機は、同一の交差点に設置されており、同一の進行方向を走行する車両に対して同じ報知内容を表す運転支援システム。
【請求項３】
請求項１に記載の運転支援システムであって、
前記車線位置情報は同一の進行方向に対して幅方向に隣接する複数の車線の特定の地点の各々を表すものであり、
前記車線位置情報の各々と前記存在位置情報とが対応付けられた運転支援システム。
【請求項４】
車両の運転を支援する運転支援システムであって、
前記車両の周囲に存在する地物を認識する認識部と、
信号機の設置されている高さを表す存在位置情報を有する記憶部とを有し、
前記信号機は、灯色を変更することによって道路を走行する車両に対して通行の可否を報知するものであり、
前記認識部は、前記車両の周囲に設置された前記信号機の前記存在位置情報を参照することにより、前記認識された結果から前記車両の周囲に設置された信号機を認識する運転支援システム。
【請求項５】
請求項４記載の運転支援システムであって、
前記記憶部は、車線の特定の地点を表す車線位置情報を有し、
前記存在位置情報と前記車線位置情報とが対応付けられている運転支援システム。
【請求項６】
車両の周囲に存在する地物を認識する認識機能をコンピュータに実現させる運転支援プログラムであって、
前記認識機能は、前記車両の現在位置に対応する車線位置情報に対応付けられた存在位置情報を参照することにより、前記認識された結果から前記車両の通行を規制する信号機を認識する機能を含み、
前記車線位置情報は、車線の特定の地点を表すものであり、
前記存在位置情報は、前記信号機の設置されている位置を表すものであり、
前記信号機は、灯色を変更することによって道路を走行する車両に対して通行の可否を報知するものである運転支援プログラム。
【請求項７】
車両の周囲に存在する地物を認識する認識機能をコンピュータに実現させる運転支援プログラムであって、
前記認識機能は、前記車両の現在位置及び信号機の設置されている高さを表す存在位置情報を参照することにより、前記認識された結果から前記車両の周囲に設置された信号機を認識する機能を含み、
前記信号機は、灯色を変更することによって道路を走行する車両に対して通行の可否を報知するものである運転支援プログラム。
【請求項８】
記憶部に記憶された地図データを車両の周囲に存在する地物を認識する認識機能を有するコンピュータに参照させる参照機能を実現させる運転支援プログラムであって、
前記地図データは、車線の特定の地点を表す車線位置情報と信号機の設置されている位置を表し前記車線位置情報と対応付けられた存在位置情報とを有し、
前記認識機能は、前記車両の現在位置に対応する前記車線位置情報に対応付けられた前記存在位置情報を参照することにより、前記認識された結果から前記車両の通行を規制する信号機を認識し、
前記参照機能は、前記コンピュータに前記車線位置情報と前記存在位置情報とを参照させる機能を含み、
前記信号機は、灯色を変更することによって道路を走行する車両に対して通行の可否を報知するものである運転支援プログラム。
【請求項９】
記憶部に記憶された地図データを車両の周囲に存在する地物を認識する認識機能を有するコンピュータに参照させる参照機能を実現させる運転支援プログラムであって、
前記地図データは、信号機の設置されている高さを表す存在位置情報であり、
前記認識機能は、前記車両の現在位置及び前記存在位置情報を参照することにより、前記認識された結果から前記車両の周囲に設置された信号機を認識し、
前記参照機能は、前記コンピュータに前記存在位置情報を参照させる機能を含み、
前記信号機は、灯色を変更することによって道路を走行する車両に対して通行の可否を報知するものである運転支援プログラム。
【手続補正２】
【補正対象書類名】明細書
【補正対象項目名】０００６
【補正方法】変更
【補正の内容】
【０００６】
（１）本発明の一形態によれば、車両の運転を支援する運転支援システムが提供される。この運転支援システムは、車両の周囲に存在する地物を認識する認識部と、信号機の設置されている位置を表す存在位置情報及び車線の特定の地点を表す車線位置情報を有する記憶部とを有し、信号機は、灯色を変更することによって道路を走行する車両に対して通行の可否を報知するものであり、存在位置情報と車線位置情報とが対応付けられており、認識部は、車両の現在位置に対応する車線位置情報に対応付けられた存在位置情報を参照することにより、認識された結果から車両の通行を規制する信号機を認識する。
【手続補正３】
【補正対象書類名】明細書
【補正対象項目名】０００７
【補正方法】変更
【補正の内容】
【０００７】
（２）上記形態の運転支援システムにおいて、存在位置情報は複数の信号機の各々を表すものであり、存在位置情報の各々と車線位置情報とが対応付けられており、
複数の信号機は、同一の交差点に設置されており、同一の進行方向を走行する車両に対して同じ報知内容を表す。
【手続補正４】
【補正対象書類名】明細書
【補正対象項目名】０００８
【補正方法】変更
【補正の内容】
【０００８】
（３）上記形態の運転支援システムにおいて、車線位置情報は同一の進行方向に対して幅方向に隣接する複数の車線の特定の地点の各々を表すものであり、車線位置情報の各々と存在位置情報とが対応付けられている。
【手続補正５】
【補正対象書類名】明細書
【補正対象項目名】０００９
【補正方法】変更
【補正の内容】
【０００９】
（４）本発明の他の形態によれば、車両の運転を支援する運転支援システムが提供される。
この運転支援システムは、車両の周囲に存在する地物を認識する認識部と、信号機の設置されている高さを表す存在位置情報を有する記憶部とを有し、信号機は、灯色を変更することによって道路を走行する車両に対して通行の可否を報知するものであり、認識部は、車両の周囲に設置された信号機の存在位置情報を参照することにより、認識された結果から車両の周囲に設置された信号機を認識する。また、上記の運転支援システムにおいて、記憶部は、車線の特定の地点を表す車線位置情報を有し、存在位置情報と車線位置情報とが対応付けられている。
【手続補正書】
【提出日】平成30年11月7日(2018.11.7)
【手続補正１】
【補正対象書類名】明細書
【補正対象項目名】００６６
【補正方法】変更
【補正の内容】
【００６６】
そして、ピストンロッド２２をさらにピストン部材２０に対して軸方向に押し込むと、図７のようにストッパ部材４８の係合突起４９が傾斜係合溝６０にガイドされることでストッパ部材４８がピストン部材２０に対して回転する。その際、係合突起４９は、入口溝５６の内壁面５６ａ及び傾斜係合溝６０の傾斜ガイド面６０ａ（図４参照）に案内されつつ傾斜係合溝６０内を移動して、係合突起４９が傾斜係合溝６０の最奥部に到達したところで、ストッパ部材４８の回転が停止する。
【手続補正２】
【補正対象書類名】明細書
【補正対象項目名】００６７
【補正方法】変更
【補正の内容】
【００６７】
次に、図８のように、回転止め部材５４をピストンロッド２２に沿って軸方向に移動させて、ピストン部材２０のスロット溝５０に回転止め部材５４を装着する。具体的には、回転止め部材５４の複数の凸状部５４ｂを、複数のスロット溝５０の入口溝５６に挿入する。これにより、図４に示すように、各凸状部５４ｂが各入口溝５６に嵌合し、且つ各凸状部５４ｂが係合突起４９に対して周方向に隣接した状態となる。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
情報を表示する表示部と、
前記表示部の周囲に配置され、光束を照射する複数の光源と、
前記表示部の姿勢により、前記複数の光源のうちの点灯する光源を異ならせる制御部と
を備える表示装置。
【請求項２】
請求項１に記載の表示装置であって、
前記制御部は、前記複数の光源のうち前記表示部を観察する眼の近傍の光源を点灯する表示装置。
【請求項３】
請求項１または２に記載の表示装置であって、
前記複数の光源の少なくとも一つからの光束によって照明された眼の画像を撮像する撮像部を備え、
前記制御部は、前記画像に基づいて前記光源の点灯を制御する表示装置。
【請求項４】
請求項３に記載の表示装置であって、
前記制御部は、前記複数の光源のうちの第１光源によって照明された前記眼の第１画像と、前記複数の光源のうちの前記第１光源とは異なる第２光源によって照明されたた前記眼の第２画像とにより、前記複数の光源のうちのいずれかを点灯する表示装置。
【請求項５】
請求項４に記載の表示装置であって、
前記制御部は、前記第１画像と前記第２画像のそれぞれに含まれる輝点の輝度に基づいて点灯する前記光源を選択する表示装置。
【請求項６】
請求項３に記載の表示装置であって、
前記制御部は、前記眼の画像と基準画像とに基づいて前記光源の点灯を制御する表示装置。
【請求項７】
請求項１から６のいずれか一項に記載の表示装置であって、
頭部に装着可能な装着部を備え、
前記表示部は前記装着部に対して移動可能に設けられ、
前記制御部は、前記装着部に対する前記表示部の位置により点灯する前記光源を選択する表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、表示装置に関する。
【手続補正４】
【補正対象書類名】明細書
【補正対象項目名】０００５
【補正方法】変更
【補正の内容】
【０００５】
本発明は、上記の事情に鑑み成されたものであって、ユーザーに表示部に表示されている情報を確認するように促すことができる表示装置を提供することを目的としている。
【手続補正５】
【補正対象書類名】明細書
【補正対象項目名】０００６
【補正方法】変更
【補正の内容】
【０００６】
上記目的を達成するため、本発明の一態様に係る表示装置は、情報を表示する表示部と、前記表示部の周囲に配置され、光束を照射する複数の光源と、前記表示部の姿勢により、前記複数の光源のうちの点灯する光源を異ならせる制御部とを備えることを特徴としている。
【手続補正６】
【補正対象書類名】明細書
【補正対象項目名】０００７
【補正方法】削除
【補正の内容】
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
光学系の光軸と略平行な移動方向に移動して前記光学系の特性を変化させる移動レンズと、
前記移動レンズを保持する移動レンズ保持枠と、
前記移動レンズ保持枠に対して固定されたボイスコイルと、
前記移動レンズの周方向に沿って互いに離れて３個以上配置され、前記移動方向と略平行にそれぞれが延在して、前記ボイスコイルが通電された場合に駆動力を生じさせる永久磁石と、
前記永久磁石が固定される筒部材と
を備え、
前記筒部材には前記移動レンズとの相対距離が変化する固定レンズが固定されている交換レンズ。
【請求項２】
光学系の光軸と略平行な移動方向に移動して前記光学系の特性を変化させる移動レンズと、
前記移動レンズを保持する移動レンズ保持枠と、
前記移動レンズ保持枠に対して固定されたボイスコイルと、
前記移動レンズの周方向に沿って互いに離れて３個以上配置され、前記移動方向と略平行にそれぞれが延在して、前記ボイスコイルが通電された場合に駆動力を生じさせる永久磁石と、
前記永久磁石が固定される筒部材と、
前記筒部材の外周側に配置される外周側筒部材と
を備え、
前記外周側筒部材は前記筒部材に対して前記光軸方向に相対移動する交換レンズ。
【請求項３】
カメラボディに着脱可能な交換レンズにおいて、
前記カメラボディと結合されるマウント部と、
光学系の光軸と略平行な移動方向に移動して前記光学系の特性を変化させる移動レンズと、
前記移動レンズを保持する移動レンズ保持枠と、
前記移動レンズ保持枠に対して固定されたボイスコイルと、
前記移動レンズの周方向に沿って互いに離れて３個以上配置され、前記移動方向と略平行にそれぞれが延在して、前記ボイスコイルが通電された場合に駆動力を生じさせる永久磁石と、
前記永久磁石が固定され、前記マウント部に対して移動可能な筒部材と
を備える交換レンズ。
【請求項４】
前記ボイスコイルは、前記光軸の回りを周回して前記移動レンズを包囲する電流路を有し、前記永久磁石に対して共通に作用する磁界を発生する請求項１から請求項３までのいずれか一項に記載の交換レンズ。
【請求項５】
前記電流路は、前記移動レンズの周方向について、前記永久磁石のひとつと隣り合う他の永久磁石との間で直線をなす請求項４に記載の交換レンズ。
【請求項６】
前記移動レンズの周方向について、前記永久磁石の相互の間隔の少なくともひとつが、他のひとつと異なる請求項１から請求項５までのいずれか一項に記載の交換レンズ。
【請求項７】
前記移動レンズの周方向について、前記永久磁石のいずれからも離れた位置に配され、前記移動レンズ保持枠の前記光軸方向の位置を検出する位置センサを更に備える請求項１から請求項６までのいずれか一項に記載の交換レンズ。
【請求項８】
前記移動レンズの周方向について、前記永久磁石のいずれからも離れた位置に、前記光軸と略平行な方向に延在し、前記移動レンズ保持枠と嵌合して、前記移動方向に前記移動レンズ保持枠を案内する主案内軸を更に備える請求項１から請求項７までのいずれか一項に記載の交換レンズ。
【請求項９】
前記移動レンズの周方向について、前記永久磁石のひとつと隣り合う他の永久磁石との間に形成される空間のうち前記主案内軸が配された空間と同じ空間に配され、前記移動レンズ保持枠の前記光軸方向の位置を検出する位置センサを更に備える請求項８に記載の交換レンズ。
【請求項１０】
前記移動レンズの周方向について、前記永久磁石のひとつと隣り合う他の永久磁石との間に形成される空間のうち前記主案内軸が配された空間とは別の空間に配され、前記光軸と略平行な方向に延在して前記移動レンズ保持枠と係合し、前記移動レンズ保持枠の前記主案内軸に対する回転を規制する副案内軸を更に備える請求項８または請求項９に記載の交換レンズ。
【請求項１１】
前記筒部材には、前記主案内軸が固定される請求項８から１０のいずれか一項に記載の交換レンズ。
【請求項１２】
前記筒部材は、略円筒形状であり、
前記筒部材の外周面の少なくとも一部に、前記移動レンズ保持枠を移動させるための駆動回路が固定される請求項１から請求項１１のいずれか一項に記載の交換レンズ。
【請求項１３】
前記筒部材は、略円筒形状であり、
前記筒部材の外周面の少なくとも一部に、前記筒部材を移動させるための駆動ピンが固定される請求項１から請求項１２のいずれか一項に記載の交換レンズ。
【請求項１４】
前記筒部材は、前記移動レンズ保持枠より像面側に近い位置に配置されるように、他のレンズが固定され、
前記筒部材と前記他のレンズとは一体で前記光軸方向に沿って移動可能である請求項１から請求項１３のいずれか一項に記載の交換レンズ。
【手続補正２】
【補正対象書類名】明細書
【補正対象項目名】発明の名称
【補正方法】変更
【補正の内容】
【発明の名称】交換レンズ
【手続補正書】
【提出日】平成30年6月7日(2018.6.7)
【手続補正１】
【補正対象書類名】明細書
【補正対象項目名】発明の名称
【補正方法】変更
【補正の内容】
【発明の名称】ネジの緩み止めとつる巻きバネとナット
【手続補正２】
【補正対象書類名】特許請求の範囲
【補正対象項目名】全文
【補正方法】変更
【補正の内容】
【特許請求の範囲】
【請求項１】
オネジとメネジを螺合する前後に於いて、双方の構成材の外側で、ネジと同じ巻き方向のコイル状のつる巻きバネを、いずれかのネジの構成材の外周に該当構成材のネジを緩める方向に向けつる巻きバネの先端部から巻き付け、つる巻きバネの後端部を部材に予め取り付け・固定する事を含め、つる巻きバネの後端部を部材に取り付け・固定する構造を有するネジの緩み止め
【請求項２】
軸の接手として使用する［請求項１］記載の構造を有するネジの緩み止め
【請求項３】
立て込みネジの固定の為に使用する［請求項１］記載の構造を有するネジの緩み止め
【請求項４】
少なくとも［請求項１］記載での構造に使用するつる巻バネで有ってつる巻バネの後端部を部材への取り付け・固定する為の終端部の形状を形成した構造を有するつる巻バネ
【請求項５】
ナットとして、座面から続くネジ山終端の延長上に内径を大きくした空洞部を設け空洞部にネジ山の終端近くでネジ山の延長上に［請求項４］記載のつる巻バネの先端部を間隔をあけて配設しつる巻バネの終端部をナットの外部から取り外しの出来る様部材であるナットに取り付け、オネジとの螺合に際しオネジがナットのネジ部を通過した後オネジにつる巻バネを［請求項１］記載の巻き付け方法で螺合締結しその後に螺合を開放する為につる巻バネの部材へ取り付けた終端部をナットの外部から取り外し、ナットを緩めるときにナットのネジ山の終端近くでつる巻バネの先端部を押す事に依り螺合を開放できる構造を有するナット
【請求項６】
部材にメネジを設けメネジの外側近くに空洞部を創設しメネジに近い部分に［請求項４］記載のつる巻きばねの終端部を取り付け・固定し空洞部の外側付近につる巻バネの先端部を配設し立て込みネジをつる巻きバネを通した後にメネジと螺合させる［請求項３］の立て込みネジの固定の為に使用するばね部分を陥没させた状態で構成する構造を有するネジの緩み止め
【請求項７】
部材に貫通孔を設けオネジの挿入側からメネジを設け貫通孔の出口付近にメネジのネジ山の終端の延長上に内径を大きくした空洞部を設けネジ山の終端で延長上に［請求項４］記載のつる巻バネの先端部を間隔をあけて配設しつる巻バネの終端部を部材の外部から取り外しの出来る様取り付け、オネジとの螺合に際しオネジが部材のネジ部を通過した後オネジにつる巻バネを［請求項１］記載の巻き付け方法で螺合締結しその後に螺合を開放する為につる巻バネの部材へ取り付けた終端部を部材の外部から取り外し、オネジを緩める時につる巻バネの先端が部材のネジ山の終端近くまでつる巻バネを共回りさせメネジの終端付近でつる巻バネの先端部を押す事に依り螺合を開放できる構造を有するネジの緩み止め
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
印刷を行う印刷部と、
ネットワークの通信規格に対応する第２通信インターフェースと、前記第２通信インターフェースとは異なる通信規格に対応する第１通信インターフェースとを備える通信インターフェースと、
前記第１通信インターフェースを介して外部装置と通信可能であり前記印刷部の制御に係るプログラムを実行する第１プロセッサーと、前記第２通信インターフェースを介して前記外部装置と通信可能であり前記第２通信インターフェースの制御に係るプログラムを実行する第２プロセッサーと、前記印刷部の制御に係るプログラムが格納される第１メモリーとを有する制御部と、
前記第２通信インターフェースの制御に係るプログラムが格納される第２メモリーと、を備え、
前記制御部は、
前記第１プロセッサー、及び、前記第２プロセッサーが第１クロックで動作する第１動作モードと、
前記第２プロセッサーの機能の一部を、前記第１プロセッサーが実行できる状態とし、前記第１プロセッサーが前記第１クロックで動作し、前記第２プロセッサーが前記第１クロックよりも動作周波数が低い第２クロックで動作する第２動作モードと、
を備え、
前記第１プロセッサーは、前記第２動作モードのとき、前記第２通信インターフェースを介して前記外部装置と通信可能であることを特徴とする印刷装置。
【請求項２】
前記第２メモリーは、
前記第１動作モード時、リフレッシュ動作を実行し、
前記第２動作モード時、セルフリフレッシュモードで動作することを特徴とする請求項１に記載の印刷装置。
【請求項３】
前記第２プロセッサーは、前記第２動作モード時、割り込み待ち状態へ移行することを特徴とする請求項１又は２に記載の印刷装置。
【請求項４】
前記制御部は、
前記第１プロセッサー、及び、前記第２プロセッサーが前記第２クロックで動作する第３動作モードを有することを特徴とする請求項１乃至３のいずれか１項に記載の印刷装置。
【請求項５】
前記制御部は、
前記第１プロセッサーが前記第２クロックで動作する割り込み待ち状態であり、前記第２プロセッサーが前記第２クロックで動作する第４動作モードを有することを特徴とする請求項１乃至４のいずれか１項に記載の印刷装置。
【請求項６】
前記第２動作モードにおいて、
前記第２通信インターフェースが受信したデータが、印刷制御データを含む場合、
前記第２プロセッサーは、前記第１プロセッサーの通知により前記第１動作モードに移行して前記印刷制御データの受信に係る処理を行い、
前記第１プロセッサーは、前記第２プロセッサーが受信に係る処理を行った前記印刷制御データに基づいて、前記印刷部に印刷を実行させることを特徴とする請求項１乃至５のいずれか１項に記載の印刷装置。
【請求項７】
前記第３動作モードにおいて、
前記第２通信インターフェースが受信したデータが、印刷制御データを含む場合、
前記第１プロセッサーは、前記第２動作モードに移行して前記第２プロセッサーに通知し、前記第２プロセッサーは、前記第１プロセッサーの通知により前記第１動作モードに移行し、前記印刷制御データの受信に係る処理を行い、
前記第１プロセッサーは、前記第２プロセッサーが受信に係る処理を行った前記印刷制御データに基づいて、前記印刷部に印刷を実行させることを特徴とする請求項４に記載の印刷装置。
【請求項８】
ネットワークの通信規格に対応する第２通信インターフェースと、前記第２通信インターフェースとは異なる通信規格に対応する第１通信インターフェースと、前記第１通信インターフェースを介して外部装置と通信可能であり第１メモリーに格納されたプログラムを実行する第１プロセッサーと、前記第２通信インターフェースを介して前記外部装置と通信可能であり第２メモリーに格納されたプログラムを実行する第２プロセッサーと、を備える印刷装置の制御方法であって、
所定の条件が成立した場合、
前記第１プロセッサー、及び、前記第２プロセッサーが第１クロックで動作する第１動作モードから、
前記第２プロセッサーの機能の一部を、前記第１プロセッサーが実行できる状態とし、前記第１プロセッサーが前記第１クロックで動作し、前記第２プロセッサーが前記第１クロックよりも動作周波数が低い第２クロックで動作する第２動作モードへ移行し、
前記第２動作モードのとき、前記第１プロセッサーは前記第２通信インターフェースを介して前記外部装置と通信可能であることを特徴とする印刷装置の制御方法。
【手続補正２】
【補正対象書類名】明細書
【補正対象項目名】発明の名称
【補正方法】変更
【補正の内容】
【発明の名称】印刷装置、及び、印刷装置の制御方法
【手続補正３】
【補正対象書類名】明細書
【補正対象項目名】０００１
【補正方法】変更
【補正の内容】
【０００１】
本発明は、印刷装置、及び、印刷装置の制御方法に関する。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
通信プラグであって、
複数のプラグコンタクトスロットを含んだプラグ筐体と、
第１の面を備えた第１の尖叉および第２の面を備えた第２の尖叉を含んだ少なくとも１つのプラグコンタクトであって、前記第１の面および前記第２の面は互いに向き合っており、且つさらに互いに平行であり、前記少なくとも１つのプラグコンタクトの各々は、前記プラグコンタクトスロットのうちの１つ内に位置付けられた、少なくとも１つのプラグコンタクトと、
前記第１の尖叉と前記第２の尖叉との間に位置付けられた支持要素と、を備えた、通信プラグ。
【請求項２】
前記支持要素は、前記第１の尖叉と前記第２の尖叉との間に位置付けられたブリッジを含んでいる、請求項１に記載の通信プラグ。
【請求項３】
前記プラグコンタクトスロットのうちの１つは、前記第１の尖叉と前記第２の尖叉との間に位置付けられた前記ブリッジを含み、これにより前記第１の面は第１側に沿って前記ブリッジに接触し、前記第２の面は第２側に沿って前記ブリッジに接触している、請求項２に記載の通信プラグ。
【請求項４】
通信システムであって、
通信機器と、
前記通信機器に接続されたパッチコードと、を含み、
前記パッチコードは、通信プラグに接続された通信ケーブルを含み、前記通信プラグは、複数のプラグコンタクトスロットを有するプラグ筐体を含み、少なくとも１つのプラグコンタクトは、第１の面を備えた第１の尖叉および第２の面を備えた第２の尖叉を含み、前記第１の面および前記第２の面は互いに向き合っており、且つさらに互いに平行であり、前記少なくとも１つのプラグコンタクトの各々は、前記プラグコンタクトスロットのうちの１つ内に位置付けられ、支持要素は、前記第１の尖叉と前記第２の尖叉との間に位置付けられている、通信システム。
【請求項５】
信号導体を有する通信ケーブルに対して通信プラグを終端させる方法であって、前記方法は、
前記信号導体を受容するための導体チャネルを伴ったプラグ筐体を提供するステップであって、前記プラグ筐体は、プラグコンタクトを受容するためのブリッジを伴ったプラグコンタクトスロットを有する、プラグ筐体を提供するステップと、
前記信号導体と接触させるための絶縁体貫通コンタクトを伴った前記プラグコンタクトを提供するステップであって、前記プラグコンタクトは、第１の面を備えた第１の尖叉および第２の面を備えた第２の尖叉を有し、前記第１の面および前記第２の面は互いに向き合っており、且つさらに互いに平行である、プラグコンタクトを提供するステップと、
前記ブリッジが第１の尖叉と前記第２の尖叉との間に位置付けられて、前記第１の面が第１側に沿って前記ブリッジに接触し、前記第２の面が第２側に沿って前記ブリッジに接触するように、それぞれの前記プラグコンタクトスロット内に前記プラグコンタクトを位置付けるステップと、
前記絶縁体貫通コンタクトとそれぞれの信号導体との間の電気接触を達成するように、前記プラグコンタクトを圧着するステップと、を含んでいる方法。
【請求項６】
通信プラグを製造するための方法であって、前記方法は、
複数のプラグコンタクトスロットを有するプラグ筐体を提供するステップであって、前記プラグコンタクトスロットの各々は、ブリッジを有する、プラグ筐体を提供するステップと、
第１の面を備えた第１の尖叉および第２の面を備えた第２の尖叉を有するプラグコンタクトを、前記複数のプラグコンタクトスロットの各々の中に部分的に挿入するステップであって、前記第１の面および前記第２の面は互いに向き合っており、且つさらに互いに平行であり、これにより前記ブリッジが前記第１の尖叉と前記第２の尖叉との間に位置付けられて、前記第１の面が第１側に沿って前記ブリッジに接触し、前記第２の面が第２側に沿って前記ブリッジに接触する、プラグコンタクトを複数のプラグコンタクトスロットの各々の中に部分的に挿入するステップと、を含んでいる方法。
【請求項７】
通信プラグであって、
複数のプラグコンタクトであって、前記プラグコンタクトの各々が、第１の面を備えた第１の尖叉および第２の面を備えた第２の尖叉を含み、前記第１の面および前記第２の面は互いに向き合っており、且つさらに互いに平行である、プラグコンタクトと、
複数のプラグコンタクトスロットを有するプラグ筐体であって、前記プラグコンタクトの各々は、前記プラグコンタクトスロットのうちの１つ内に位置付けられ、前記プラグ筐体は、前記第１の尖叉と前記第２の尖叉との間に位置付けられた支持要素をさらに含んだプラグ筐体と、を備えている、通信プラグ。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
記憶回路および回路が同一の基板に作製されている半導体装置であって、
前記記憶回路は、容量素子と、第１のトランジスタと、前記第１のトランジスタの上方に位置する第２のトランジスタと、を有し、
前記第１のトランジスタは、第１のゲートと第２のゲートとを有し、
前記第１のトランジスタの第１のゲートには、前記第２のトランジスタのソースまたはドレインのいずれか一方と、前記容量素子の一方の電極と、が電気的に接続され、
前記回路は、第３のトランジスタと、第４のトランジスタと、を有し、
前記第３のトランジスタと、前記第４のトランジスタとは、互いに直列に接続され、
前記第１乃至第４のトランジスタは、それぞれ、酸化物半導体膜にチャネルが形成されることを特徴とする半導体装置。
【請求項２】
請求項１において、前記第１のトランジスタのチャネル長方向と、前記第２のトランジスタのチャネル長方向とは、互いに異なる方向であることを特徴とする半導体装置。
【請求項３】
請求項１又は２において、前記容量素子は、前記第１のトランジスタの上方であって、且つ前記第２のトランジスタの下方に位置することを特徴とする半導体装置。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
陽極と、
陰極と、を有し、
前記陽極と前記陰極との間に発光層を有し、
前記陰極と前記発光層との間に第１の層を有し、
前記第１の層と前記発光層との間に第２の層を有し、
前記第２の層は、アルカリ金属若しくはアルカリ土類金属を有し、
前記第１の層は、電子輸送性材料を有することを特徴とする発光素子。
【請求項２】
陰極と、
前記陰極上の第１の層と、
前記第１の層上の第２の層と、
前記第２の層上の発光層と、
前記発光層上の陽極と、を有し、
前記第２の層は、アルカリ金属若しくはアルカリ土類金属を有し、
前記第１の層は、電子輸送性材料を有することを特徴とする発光素子。
【請求項３】
陽極と、
陰極と、を有し、
前記陽極と前記陰極との間に発光層を有し、
前記陰極と前記発光層との間に第１の層を有し、
前記第１の層と前記発光層との間に第２の層を有し、
前記陰極と前記第１の層との間に第３の層を有し、
前記第３の層は、正孔輸送性材料と電子受容体とを有し、
前記第２の層は、アルカリ金属若しくはアルカリ土類金属を有し、
前記第１の層は、電子輸送性材料を有することを特徴とする発光素子。
【請求項４】
陰極と、
前記陰極上の第１の層と、
前記第１の層上の第２の層と、
前記第２の層上の発光層と、
前記発光層上の陽極と、
第３の層と、を有し、
前記第３の層は、前記陰極と前記第１の層との間に設けられ、
前記第３の層は、正孔輸送性材料と電子受容体とを有し、
前記第２の層は、アルカリ金属若しくはアルカリ土類金属を有し、
前記第１の層は、電子輸送性材料を有することを特徴とする発光素子。
【請求項５】
請求項１乃至請求項４のいずれか一において、
前記第１の層は、前記アルカリ金属若しくは前記アルカリ土類金属が前記陰極に拡散することを抑制することができる機能を有することを特徴とする発光素子。
【請求項６】
請求項１乃至請求項５のいずれか一において、
前記電子輸送性材料は、バソフェナントロリン若しくはトリス（８−キノリノラト）アルミニウムを有することを特徴とする発光素子。
【請求項７】
請求項１乃至請求項６のいずれか一において、
前記アルカリ金属若しくは前記アルカリ土類金属は、リチウム、カルシウムのいずれか一であることを特徴とする発光素子。
【請求項８】
請求項１乃至請求項７のいずれか一に記載の発光素子と、電界効果トランジスタと、を有する発光装置であって、
前記陰極は、前記電界効果トランジスタと電気的に接続されていることを特徴とする発光装置。
【請求項９】
請求項１乃至請求項７のいずれか一に記載の発光素子、または、請求項８に記載の発光装置と、
カラーフィルターと、を有する電子機器。
【請求項１０】
請求項１乃至請求項７のいずれか一に記載の発光素子、または、請求項８に記載の発光装置と、
タッチパネルと、を有する電子機器。
【請求項１１】
請求項１乃至請求項７のいずれか一に記載の発光素子、または、請求項８に記載の発光装置と、
筐体と、を有する照明装置。
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
移動する対象物の画像データを取得するため画像処理方法であって、
前記対象物を連続的に撮影して複数の画像データを取得する工程と、
取得した前記複数の画像データそれぞれについて、前記対象物の位置姿勢と、画像特徴量と、を演算する工程と、
前記位置姿勢が所定の条件を満たす画像データについて、順に、前記画像特徴量と予め取得しておいた基準画像特徴量との合致度を算出する工程と、
先に合致度を算出した画像と後から合致度を算出した画像データのうち、合致度の高い方の画像データを保存する工程と、を有することを特徴とする画像処理方法。
【請求項２】
前記画像特徴量が、画像の輝度の総和値、複数ブロックに分割した各々の画像領域の輝度の総和値、特定の画像領域の濃度勾配値、輪郭線強度値の少なくとも一つであることを特徴とする請求項１に記載の画像処理方法。
【請求項３】
複数の画像データを取得する工程により取得した画像データに対して背景除去処理する工程をさらに備えることを特徴とする請求項１または２に記載の画像処理方法。
【請求項４】
前記複数の画像データに対し、特定のフレーム前の画像との差分値を、予め定められた画素ずつ計算し、各画素の差分値に対して二値化処理を行い得られた二値信号に対して画像の０次モーメントと画像の水平１次モーメントと画像の垂直１次モーメントを計算し、計算された前記画像の０次モーメントと前記画像の水平１次モーメントと画像の垂直１次モーメントから、画像の重心を計算して、前記複数の画像データの背景をフレーム間差分により除去することを特徴とする請求項３記載の画像処理方法。
【請求項５】
対象物の画像データを取得する撮像装置と、
前記対象物を移動させる移動手段と、
前記画像データから、前記対象物の位置姿勢と画像特徴量とを算出する演算手段と、
を備えるシステムであって、
前記撮像装置は、前記移動手段によって移動する前記対象物を連続的に撮影して複数の画像データを取得して、取得した前記複数の画像データを順に前記演算手段に送信し、
前記演算手段は、取得した前記複数の画像データそれぞれについて、順に、前記対象物の位置姿勢と画像特徴量とを演算し、
前記位置姿勢が所定の条件を満たす画像データについて、順に、前記画像特徴量と予め取得しておいた基準画像特徴量との合致度を算出し、
先に合致度を算出した画像と後から合致度を算出した画像データのうち、合致度の高い方の画像データを保存することを特徴とするシステム。
【請求項６】
前記画像特徴量が、画像の輝度の総和値、複数ブロックに分割した各々の画像領域の輝度の総和値、特定の画像領域の濃度勾配値、輪郭線強度値の少なくとも一つであることを特徴とする請求項５に記載のシステム。
【請求項７】
前記移動手段が、前記対象物を把持して移動させることのできるロボットハンドであることを特徴とする請求項５に記載のシステム。
【請求項８】
対象物の画像データを取得する撮像装置と、
前記対象物を移動させる移動手段と、
前記画像データから、前記対象物の位置姿勢と画像特徴量とを算出する演算手段と、
を備える生産装置であって、
前記撮像装置は、前記移動手段によって移動する前記対象物を連続的に撮影して複数の画像データを取得して、取得した前記複数の画像データを順に前記演算手段に送信し、
前記演算手段は、取得した前記複数の画像データそれぞれについて、順に、対象物の位置姿勢と画像特徴量とを演算し、
前記位置姿勢が所定の条件を満たす画像データについて、順に、前記画像特徴量と予め取得しておいた基準画像特徴量との合致度を算出して、先に合致度を算出した画像と後から合致度を算出した画像データのうち、合致度の高い方の画像データを保存することを特徴とする生産装置。
【請求項９】
前記画像特徴量が、画像の輝度の総和値、複数ブロックに分割した各々の画像領域の輝度の総和値、特定の画像領域の濃度勾配値、輪郭線強度値の少なくとも一つであることを特徴とする請求項８に記載の生産装置。
【請求項１０】
前記移動手段が前記対象物を把持して移動させるロボットハンドであり、
前記対象物の位置姿勢を算出する画像処理部と、
前記ロボットハンドを制御する制御部と、
をさらに備えており、
前記画像処理部は、前記保存した画像データを用いて、前記対象物の位置姿勢を算出し、
前記制御部は、前記画像処理部で算出した前記位置姿勢に基づいて前記ロボットハンドを制御して、前記対象物に対する処理を実行させることを特徴とする生産装置。
【手続補正２】
【補正対象書類名】明細書
【補正対象項目名】００１６
【補正方法】変更
【補正の内容】
【００１６】
上述の課題を解決するための本発明は、移動する対象物の画像データを取得するため画像処理方法であって、前記対象物を連続的に撮影して複数の画像データを取得する工程と、取得した前記複数の画像データそれぞれについて、前記対象物の位置姿勢と、画像特徴量と、を演算する工程と、前記位置姿勢が所定の条件を満たす画像データについて、順に、前記画像特徴量と予め取得しておいた基準画像特徴量との合致度を算出する工程と、先に合致度を算出した画像と後から合致度を算出した画像データのうち、合致度の高い方の画像データを保存する工程と、を有することを特徴とする画像処理方法、である。